(57)【要約】      （修正有）【課題】病院等の自立歩行もままならない入院患者が、自分で楽に飲み物が入ったコップや６００ｍｌ以下のペットボトルを手に取ることができ又、コップや６００ｍｌ以下のペットボトルを置いてある時に倒したりしてベッド上等を汚すことがないようにするベッドサイドテーブルを提供する。【解決手段】ベッドサイドテーブル１のテーブル面２の適当な位置に、コップや６００ｍｌ以下のペットボトルが簡単に倒れることがない程の深さがあるドリンクホルダー３全部をテーブル面２の下方に設けることにより解決する。【選択図】図１
0003215636.tif 000002
【実用新案登録請求の範囲】
【請求項１】
コップや６００ｍｌ位以下のペットボトルが簡単に倒れることがない程の深さがあるドリンクホルダー全部をテーブル面の下方に設けたベッドサイドテーブル。
【請求項２】
コップや６００ｍｌ位以下のペットボトルが簡単に倒れることがない程の深さがあるドリンクホルダーの側の一部または全部をテーブル面の上に出させたベッドサイドテーブル。
【考案の詳細な説明】
【技術分野】
【０００１】
本考案は、飲み物が入ったコップや６００ｍｌ位以下のペットボトルを置いていても、コップやペットボトルを倒してベッド上等を汚すことがないようにするベッドサイドテーブルに関するものである。
【背景技術】
【０００２】
従来のベッドサイドテーブルは、主に食事に利用するものであり、その多くは一面が平らなテーブル面で造られたものが供されていた。
【０００３】
しかし、病院等の自立歩行もままならない入院患者が、飲み物を摂るのが大切なことである場合でも、置いたコップやペットボトルが倒れやすくベッドサイドテーブルの利用はしないようにするので、自分で楽に飲み物が入ったコップやペットボトルを手に取れる対策が十分なされているとは言えなかった。
【０００４】
この改善策については、テーブル上に抜き穴を設けて紙コップ等を挿入できるようにしたものがあるが、ペットボトルや缶飲料を保持することはできず又、食事で出されるお椀の高台が嵌ってしまうこともありえるので、お椀を並べるのに不都合になる。
【先行技術文献】
【特許文献】
【０００５】
【特許文献１】特開２０１０−２７９４５９
【考案の概要】
【考案が解決しようとする課題】
【０００６】
解決しようとする問題点は、病院等の自立歩行もままならない入院患者が、自分で楽に飲み物が入ったコップや６００ｍｌ位以下のペットボトルを手に取ることができ又、コップやペットボトルを置いてある時に倒したりしてベッド上等を汚すことがないようにするベッドサイドテーブルにすることである。
【課題を解決するための手段】
【０００７】
本考案は、ベッドサイドテーブルにコップや６００ｍｌ位以下のペットボトルが簡単に倒れることがない程の深さがあるドリンクホルダーを設けることにより解決する。
【考案の効果】
【０００８】
本考案のベッドサイドテーブルは、テーブルをベッド上付近に配置しておけば、入院患者が自分で楽に飲み物が入ったコップやペットボトルを手に取ることができ又、飲み物が入ったコップやペットボトルをドリンクホルダーに置くと、コップやペットボトルは不測の衝撃で簡単に倒れないので、ベッド上等を汚すことを防止することができる。
【図面の簡単な説明】
【０００９】
【図１】図１はドリンクホルダーの一部をテーブル面の上に突出させたベッダサイドテーブルである。
【図２】図２はドリンクホルダーの全部をテーブル面の上に設けたベッドサイドテーブルである。
【図３】図３はドリンクホルダー全部をテーブル面の下方に設けたベッドサイドテーブルである。
【図４】図４はフラップ付きのドリンクホルダーの上面図である。
【考案を実施するための形態】
【００１０】
ドリンクホルダーは、コップや６００ｍｌ位以下のペットボトルや缶飲料を置いてある時には簡単に倒れることがない程の深さがありベッドサイドテーブルの適当な位置に設置する。
ドリンクホルダーは、断熱材を内包させると、他の部分との熱伝導を防ぐこともできる。
【実施例１】
【００１１】
図１は、ドリンクホルダーの側の一部をテーブル面の上に出させたベッドサイドテーブルであり、食事で出されたお椀がずれて高台がドリンクホルダーに嵌らないようにできる。
【実施例２】
【００１２】
図２の実施例は、ドリンクホルダーの全部をテーブル面の上に設置したベッドサイドテーブルであり、食事で出されたお椀がずれて高台がドリンクホルダーに嵌るのを防止できる。
【実施例３】
【００１３】
図３の実施例は、ドリンクホルダー全部をテーブル面の下方に設けたベッドサイドテーブルであり、コップや６００ｍｌ位以下のペットボトルや缶飲料を置くことができる。
【実施例４】
【００１４】
図４は、ドリンク容器の保持性が良いフラップを付けたドリンクホルダーである。
【産業上の利用可能性】
【００１５】
ベッドサイドテーブルにドリンクホルダーを設けるのは、難しいことではないので普及は可能である。
【符号の説明】
【００１６】
１    ベッドサイドテーブル
２    テーブル面
３    ドリンクホルダー
４    ドリンクホルダーの側
５    フラップ
【図１】
0003215636.tif 000003
【図２】
0003215636.tif 000004
【図３】
0003215636.tif 000005
【図４】
0003215636.tif 000006
【手続補正書】
【提出日】平成30年1月18日(2018.1.18)
【手続補正１】
【補正対象書類名】実用新案登録請求の範囲
【補正対象項目名】請求項１
【補正方法】変更
【補正の内容】
【請求項１】
コップや６００ｍｌ以下のペットボトルが簡単に倒れることがない程の深さがあるドリンクホルダー全部をテーブル面の下方に設けたベッドサイドテーブル。
【手続補正２】
【補正対象書類名】実用新案登録請求の範囲
【補正対象項目名】請求項２
【補正方法】変更
【補正の内容】
【請求項２】
コップや６００ｍｌ以下のペットボトルが簡単に倒れることがない程の深さがあるドリンクホルダーを設けるのに側の一部または全部をテーブル面の上に出させたベッドサイドテーブル。
【手続補正３】
【補正対象書類名】明細書
【補正対象項目名】０００９
【補正方法】変更
【補正の内容】
【０００９】
【図１】図１はドリンクホルダーの一部をテーブル面の上に出させたベッドサイドテーブルである。
【図２】図２はドリンクホルダーの全部をテーブル面の上に設けたベッドサイドテーブルである。
【図３】図３はドリンクホルダー全部をテーブル面の下方に設けたベッドサイドテーブルである。
【図４】図４はフラップ付きのドリンクホルダーの上面図である。
【手続補正書】
【提出日】平成30年1月20日(2018.1.20)
【手続補正１】
【補正対象書類名】明細書
【補正対象項目名】０００８
【補正方法】変更
【補正の内容】
【０００８】
本考案のベッドサイドテーブルは、テーブルをベッド上付近に配置しておけば、入院患者が自分で楽に飲み物が入ったコップやペットボトルを手に取ることができ又、飲み物が入ったコップやペットボトルをドリンクホルダーに置くと、コップやペットボトルは不測の衝撃で簡単に倒れないので、ベッド上等を汚すことを防止することができる。又、食事で出されたお椀がずれて高台がドリンクホルダーに嵌らないようにできる。
【手続補正２】
【補正対象書類名】明細書
【補正対象項目名】０００９
【補正方法】変更
【補正の内容】
【０００９】
【図１】図１はドリンクホルダーの一部をテーブル面の上に出させたベッドサイドテーブルである。
【図２】図２はドリンクホルダーの全部をテーブル面の上に設けたベッドサイドテーブルである。
【図３】図３はドリンクホルダー全部をテーブル面の余りの狭い部分の下方に設けたベッドサイドテーブルである。
【図４】図４はフラップ付きのドリンクホルダーの上面図である。
【手続補正書】
【提出日】平成30年2月13日(2018.2.13)
【手続補正１】
【補正対象書類名】実用新案登録請求の範囲
【補正対象項目名】請求項１
【補正方法】変更
【補正の内容】
【請求項１】
コップや６００ｍｌ以下のペットボトルが簡単に倒れることがない程の深さがあるドリンクホルダー全部をテーブル面の余りの狭い部分の下方に設けたベッドサイドテーブル。